(57)【要約】【課題】本発明は、アイドラ軸が不要なままの構造で、後進段の減速比を大きくすることが可能なダブルクラッチ変速機を提供する。【解決手段】本発明のダブルクラッチ変速機は、後進用のギヤ機構２１として、第１あるいは第２の出力軸４０，４１に配置された低速段の被駆動ギヤ３７と一体に回転するようにアイドラギヤ６０を設け、第１および第２の出力軸４０，４１に、後進用の被駆動ギヤ３３から出力する一方の出力軸４０の終減速比を他方の出力軸４１の終減速比より大きく設定させた出力ギヤ４２，４３を設ける構造を採用した。これにより、アイドラ軸が不要なコンパクトな構造でありながら、大きな減速比の後進段が確保できる。【選択図】      図２
2007321820.tif 000002
【特許請求の範囲】
【請求項１】
所定の２グループに分けた複数の前進変速段のうちの一方の変速段グループの各駆動ギヤを有する第１の入力軸と、他方の変速段グループの各駆動ギヤを有し前記第１の入力軸の周囲で該第１の入力軸の軸心回りに回転可能な第２の入力軸と、これら第１および第２の入力軸の一端部にそれぞれ設けられエンジン回転力を第１あるいは第２の入力軸に伝達するクラッチとを有して構成される入力系と、
前記第１および第２の入力軸と並行に配設された第１および第２の出力軸を有し、前記第１および第２の入力軸の駆動ギヤと噛合う前進用の被駆動ギヤが、各被駆動ギヤへ回転力を伝えるシンクロ機構と共に、第１および第２の出力軸に設けられた前進変速用のギヤ機構と、前記第１および第２の出力軸のうちの一方の出力軸に後進用の被駆動ギヤおよび該後進用の被駆動ギヤへ回転力を伝えるシンクロ機構が設けられた後進用のギヤ機構とを有する出力系とを備え、
前記後進用のギヤ機構は、前記第１および第２の出力軸の他方の出力軸に配置された低速段の被駆動ギヤと一体に回転するように組み付けられ前記後進用の被駆動ギヤと噛合うアイドラギヤと、前記第１および第２の出力軸に設けられ、前記後進用の被駆動ギヤからの回転力を出力する一方の出力軸の終減速比が他方の出力軸の終減速比より大きく設定された出力ギヤとを組み合わせて構成される
ことを特徴とするダブルクラッチ変速機。
【請求項２】
前記低速段の被駆動ギヤは、２速用の被駆動ギヤであることを特徴とする請求項１に記載のダブルクラッチ変速機。
【請求項３】
前記アイドラギヤは、前記低速段の被駆動ギヤに隣接するとともに、前記低速段の被駆動ギヤへ回転力を伝えるシンクロ機構に隣接しないことを特徴とする請求項１に記載のダブルクラッチ変速機。
低速段の被駆動ギヤは、２速用の被駆動ギヤであることを特徴とする請求項１に記載のダブルクラッチ変速機。
【発明の詳細な説明】
【技術分野】
【０００１】
本発明は、２つのクラッチと２つの入力軸とを用いて、動力伝達が断たれるのを最小限に抑えたシンクロ機構による連続的な変速を可能としたダブルクラッチ変速機に関する。
【背景技術】
【０００２】
車両（自動車）の自動変速機には、常時噛合い式（駆動ギヤと被駆動ギヤとが噛合う）のギヤ機構を用いて、動力伝達のロスを抑えながら連続的な変速を可能としたダブルクラッチ変速機と呼ばれる変速機がある。
【０００３】
このダブルクラッチ変速機には、駆動ギヤを有する２つの入力軸と２つのクラッチを用いた入力系、被駆動ギヤやシンクロ機構を有する２つの出力軸を用いた出力系を組み合わせた構造が用いられている。具体的には、入力系として、例えば複数の前進変速段を偶数の変速段と奇数の変速段との変速段グループに分け、奇数の変速段グループの各駆動ギヤを、それぞれクラッチとつながる第１の入力軸又はその入力軸周囲で回転する第２の入力軸の一方に設け、偶数の変速段グループの各駆動ギヤをその一方に設けて、各クラッチから第１あるいは第２の入力軸へエンジン回転力を伝達する構造が用いられる。また出力系としては、第１および第２の入力軸と並行に設けた第１および第２の出力軸に、各駆動ギヤと噛合う各被駆動ギヤを、当該被駆動ギヤへ回転力を伝えるシンクロ機構と共に、振り分けた構造が用いられる。
【０００４】
こうした入・出系によると、例えば奇数の変速段のシフトが完了し、クラッチから第１の入力軸へ入力されるエンジン回転力が変速されて一方の出力軸から出力されているときを利用して、次段の偶数変速段の駆動ギヤをシンクロ機構で他方の出力軸から伝達される車速にシンクロさせて、次段の変速に備えておける。このため、次段に変速するときは、第１の入力軸をつないでいるクラッチを切り、残るクラッチを入れて第２の入力軸からの動力伝達へ切り替えれば、即座に、隣りの偶数段の変速段へシフトされる。さらに隣の奇数段の次変速を行なうときも、第２の入力軸を通じてエンジン回転力を伝達している間に、第１の入力軸上の次段の奇数段の変速段を車速にシンクロさせて次段の変速に備えておけば、両クラッチの切替えにより、隣りの奇数段の変速段へのシフトが完了するので、低速変速段〜高速変速段、例えば１速から６速まで、動力伝達のロスを抑えながら変速、すなわち迅速に１速から６速まで連続的に変速が行える。
【０００５】
ところで、ダブルクラッチ変速機では、後進段の切り換えは、出力系に前進段用のギヤ機構とは別に後進用のギヤ機構を装備することが行なわれている。多くは、入力軸に配設した低速用の駆動ギヤを、別途、第３の出力軸に設けたアイドラギヤを介して、第１および第２の出力軸の一方に後進用の被駆動ギヤに噛み合わせる構造が用いられる。つまり、該後進用の駆動ギヤと共に設けたシンクロ機構を作動させると、第２の出力軸から、第３の出力軸を経由したアイドラギヤからの後進用の出力（逆回転）が出力される構造が用いてある。
【０００６】
ところが、こうしたアイドラギヤが付いた第３の出力軸を設ける構造は、別途、第１および第２の出力軸と同様、入力軸と並行に第３の出力軸を配置することが求められるために、ダブルクラッチ変速機の大形化が伴う。
【０００７】
そこで、特許文献１に開示されているように一方の出力軸に設けてある低速段用の被駆動ギヤ（低速段用の駆動ギヤと噛合うギヤ）にアイドラギヤを取着し、同アイドラを他方の出力軸に設けてある後進用の被駆動ギヤに噛合わせて、一方の出力軸がアイドラ軸を兼ねようにした技術が提案されている。
【特許文献１】特表２００３−５０３６６２公報
【発明の開示】
【発明が解決しようとする課題】
【０００８】
同構造は、確かにアイドラ用の第３の出力軸が不要になるので、ダブルクラッチ変速機のコンパクト化が図れるものの、後進用の減速比は、低速段の駆動ギヤと被駆動ギヤとの噛合い、アイドラギヤと後進用の被駆動ギヤとの噛合いに依存しているために、大きくするのは難しい。近時ではダブルクラッチ変速機のコンパクト化のために、歯車径の小さいギヤを用いる傾向にあるが、このような場合、ギヤの制約から、後進段に適した大きな減速比を確保することは難しい。
【０００９】
そこで、本発明の目的は、アイドラ軸が不要なままの構造で、後進段の減速比を大きくすることが可能なダブルクラッチ変速機を提供することにある。
【課題を解決するための手段】
【００１０】
請求項１に記載の発明は、上記目的を達成するために、所定の２グループに分けた複数の前進変速段のうちの一方の変速段グループの各駆動ギヤを有する第１の入力軸と、他方の変速段グループの各駆動ギヤを有し第１の入力軸の周囲で該第１の入力軸の軸心回りに回転可能な第２の入力軸と、これら第１および第２の入力軸の一端部にそれぞれ設けられエンジン回転力を第１あるいは第２の入力軸に伝達するクラッチとを有して構成される入力系と、第１および第２の入力軸と並行に配設された第１および第２の出力軸を有し、第１および第２の入力軸の駆動ギヤと噛合う前進用の被駆動ギヤが、各被駆動ギヤへ回転力を伝えるシンクロ機構と共に、第１および第２の出力軸に設けられた前進変速用のギヤ機構と、第１および第２の出力軸のうちの一方の出力軸に後進用の被駆動ギヤおよび該後進用の被駆動ギヤへ回転力を伝えるシンクロ機構が設けられた後進用のギヤ機構とを有する出力系とを備え、後進用のギヤ機構は、第１および第２の出力軸の他方の出力軸に配置された低速段の被駆動ギヤと一体に回転するように組み付けられ後進用の被駆動ギヤと噛合うアイドラギヤと、第１および第２の出力軸に設けられ、後進用の被駆動ギヤからの回転力を出力する一方の出力軸の終減速比が他方の出力軸の終減速比より大きく設定された出力ギヤとを組み合わせて構成されることとした。
【００１１】
請求項２に記載の発明は、低速段の被駆動ギヤが２速用の被駆動ギヤであることとした。
【００１２】
請求項３に記載の発明は、アイドラギヤは、低速段の被駆動ギヤに隣接するとともに、低速段の被駆動ギヤへ回転力を伝えるシンクロ機構に隣接しないこととした。
【発明の効果】
【００１３】
請求項１に記載の発明によれば、後進段は、低速段の駆動ギヤと同被駆動ギヤの噛合いがもたらす低速段の減速比、アイドラギヤと後進用の被駆動ギヤの噛合いがもたらす後進用の減速比に加え、さらに出力ギヤの減速比が加わる減速比となるので、アイドラ軸が不要な構造まま、つまり、コンパクト化を図りつつ、後進段の減速比が大きくできる。
【００１４】
請求項２に記載の発明によれば、設置自由度の高い２速用の被駆動ギヤで、十分に後進段に適した大きな減速比が確保できる。
【００１５】
請求項３に記載の発明によれば、アイドラギヤがシンクロ機構と隣接しないため、シンクロ機構の影響を受けることなくアイドラギヤのギヤ径を設定することができる。
【発明を実施するための最良の形態】
【００１６】
［一実施形態］
以下、本発明を図１〜図３に示す一実施形態にもとづいて説明する。
【００１７】
図１は、例えば前進段が６速、後進段が１速の計７速の変速段をもつ、横置き車載式のダブルクラッチ変速機の概略構成を示していて、図中１はダブルクラッチ変速機の本体部を示している。本体部１は、入力系２と出力系３０とを組み合わせた構造が用いられている。このうち入力系２は、複数の駆動ギヤ３〜７が配置される２つの入力軸９、１０（本願の第１、第２の入力軸に相当）と２つのクラッチ１２，１３（第１、第２のクラッチ）とを組み合わせた構造が用いられている。出力系３０は、被駆動ギヤ３１〜３７やシンクロ機構５０〜５３が配置される２つの出力軸４０，４１（本願の第１、第２の出力軸に相当）を用いて構成した構造が用いられている。
【００１８】
図２には、その詳細な構造となるダブルクラッチ変速機の展開した正断面図が示され、図３には同ダブルクラッチ変速機の側断面図が示されている。これら図２および図３を参照して、入力系２の構造を説明すると、同図中１５はクラッチケース、１６は同クラッチケース１５と直列に連結された変速機ケースを示している。クラッチケース１５内には上記クラッチ１２，１３が収められる。これらクラッチ１２，１３は、例えばエンジン７０の出力軸につながる２組のプッシャプレート１２ａ，１３ａ、入力軸９，１０にそれぞれつながる２組の独立した乾式のクラッチ板１２ｂ，１３ｂを軸方向に交互に並べて構成され、各プッシャプレート１２ａ，１３ａの移動（作動）により、各プッシャプレート１２ａ，１３ａを選択的にクラッチ板１２ｂ、１３ｂに密接させたり、離反させたりすることができるようにしてある。
【００１９】
変速機ケース１６内に上記入力軸９，１０が配設される。これら入力軸９，１０のうち、入力軸９には、軸心に潤滑油（図示しない）が通る通孔１５をもつ軸部材が用いられる。この軸部材がクラッチケース１５の開口近くから、変速機ケース１６内の深部、詳しくはクラッチ１２，１３とは反対側の端壁１６ａの近くまで配置されている。残る入力軸１０は、筒形の軸部材から構成され、入力軸９の外周面に嵌挿してある。そして、入力軸９の外面と入力軸１０の内面との間には、軸受部となるニードルベアリング１１が介装され、双方の入力軸９，１０を回転自在としている。なお、１１ａは、そのニードルベアリング１１へ入力軸１０内からの潤滑油を導く通孔を示す。入力軸１０は、入力軸９のクラッチ１２，１３側の一端側から、変速機ケース１６内に配置された他端側のほぼ半分までを覆っている。そして、２重軸部の中間部は、クラッチケース１５と変速機ケース１６との間を仕切る端壁１６ｂに組み付けた軸受１７ａによって支持される。入力軸９の変速機ケース後端側の端部は、端壁１６ａに組み付けた軸受１７ｂによって支持される。こうした軸受１７ａ，１７ｂの支持により、入力軸９は回転可能に支持され、入力軸１０はその入力軸９の軸心回りに回転可能に支持される。クラッチケース１５内に突き出た入力軸９の端部は、クラッチ１３に連結、具体的にはクラッチ１３のクラッチ板１３ａに連結され、同じく入力軸１０の端部は、クラッチ１２に連結、具体的にはクラッチ１２のクラッチ板１２ａに連結され、クラッチ１３が接続されると、エンジン７０から出力される回転力が入力軸９へ伝わり、クラッチ１２が接続されると、エンジン７０から出力される回転力が入力軸１０へ伝わるようにしている。つまり、クラッチ１２，１３の作動により、エンジン７０の回転力が入力軸９あるいは入力軸１０へ択一的に伝達されるようにしている。
【００２０】
入力軸９，１０には、駆動ギヤ３〜７が所定の２つの変速段グループに分けられて設けられる。具体的には、前進変速段（１〜６速）は偶数の変速段と奇数の変速段との変速段グループに分けられ、そのうちの奇数の変速段グループに相当する駆動ギヤ３〜５が入力軸９に設けられている、具体的には、奇数の変速段グループの駆動ギヤは、軸受１７ｂと隣接した地点（変速機の後端側）から、１速用の駆動ギヤ３、３速用の駆動ギヤ４、５速用の駆動ギヤ５の順で、入力軸１０から突き出た軸部分９ａ（入力軸９）に設けてある。
【００２１】
偶数の変速段グループに相当する駆動ギヤは、入力軸１０に設けられる。具体的には、偶数の変速段グループの駆動ギヤは、変速機後端側の端部から、４速・６速兼用の駆動ギヤ６、２速用の駆動ギヤ７の順で、入力軸１０に設けてある。これにより、クラッチ１３が接続されると、エンジン７０の回転力が奇数段の駆動ギヤ３〜５へ伝わり、クラッチ１２が接続されると、エンジン７０の回転力が偶数段の駆動ギヤ６，７へ伝わるようにしてある。
【００２２】
一方、出力系３０を図２および図３を参照して説明すると、出力軸４０，４１は、いずれも変速機ケース１６内に、入力軸９，１０と並行に配設されている。特に図３に示されるように出力軸４０は２重軸構造の入力軸９，１０を挟んだ上側に地点に配設され、出力軸４１は同入力軸９，１０を挟んだ下側の地点に配置されている。これら出力軸４０，４１は、いずれもクラッチ１２，１３側の端部を端壁１６ｂで揃えて入力軸９，１０と並行に配置されている。そして、揃えた各軸端は端壁１６ｂに組み込まれた各軸受３８ａ、３８ｂにより回転可能に支持されている。残る各出力軸４０，４１の変速機後端側となる軸端は、端壁１６ａに組み込まれた各軸受３９ａ，３９ｂにより回転可能に支持されている。また出力軸４０，４１のクラッチ１２，１３側の端部には、それぞれ出力ギヤ４２，４３が設けられている。これら出力ギヤ４２，４３の減速比は、上側に配置される出力軸４０の終減速比が、下側に配置される出力軸４１の終減速比よりも大きくなるように設定してある。これら出力ギヤ４２，４３が変速機ケース１６の側部に組み付けたデファレンシャル機構４４に噛合させてある。具体的には、デファレンシャル機構４４は、変速機ケース１６の側部に形成したデフケース４５内に、各要素、具体的にはピニオンギヤ４５ａ〜４５ｄの組み合わせで形成される差動ギヤ部４５ｅ、同差動ギヤ部４５ｅへ回転を入力するリングギヤ４６（リダクションギヤ）、差動ギヤ部４５ｅで分配された回転力を左右駆動輪（図示しない）へ伝える車軸４７ａ，４７ｂを有して構成してある。出力ギヤ４２，４３は、このデファレンシャル機構４４のリングギヤ４６に噛合させてある。
【００２３】
こうした出力軸４０，４１に、出力軸４０の変速段数を出力軸４１の変速段数より少なくなるように、上記被駆動ギヤ３１〜３６が振り分けて設けてある。具体的には、出力軸４０には、軸受３９ａ側から、駆動ギヤ５と噛合う５速用の被駆動ギヤ３１、駆動ギヤ６と噛合う４速用の被駆動ギヤ３２、後進用の被駆動ギヤ３３の順で、３つの被駆動ギヤが配置されている。出力軸４１には、軸受３９ｂ側から、駆動ギヤ３と噛合う１速用の被駆動ギヤ３４、駆動ギヤ４と噛合う３速用の被駆動ギヤ３５、駆動ギヤ６と噛合う６速用の被駆動ギヤ３６、駆動ギヤ７と噛合う２速用の被駆動ギヤ３７の順で、４つの被駆動ギヤが配置されている。これら被駆動ギヤ３１〜３７が、いずれも軸受となるニードルベアリング４８を用いて、出力軸４０，４１の外周面に回転自在に支持させてある。
【００２４】
こうした被駆動ギヤ３１〜３７のレイアウトに合わせて、上記シンクロ機構５０〜５３も振り分けて、出力軸４０，４１に設けてある。具体的には、出力軸４０には、被駆動ギヤ３２（４速用）と被駆動ギヤ３３（後進用）間の軸部分に、シフト方向が二方向タイプの４速・後進選択用のシンクロ機構５０が配置され、被駆動ギヤ３１（５速用）を挟んだ軸受３９ａ側の軸部分に、シフト方向が一方向タイプの５速選択用のシンクロ機構５１が配置されている。また出力軸４１には、被駆動ギヤ３４（１速用）と被駆動ギヤ３５（３速用）間の軸部分に、シフト方向が二方向タイプの１速・３速選択用のシンクロ機構５２が配置され、被駆動ギヤ３６（６速用）と被駆動ギヤ３７（２速用）間の軸部分に、シフト方向が二方向タイプの６速・２速選択用のシンクロ機構５３が配置されている。こうした各ギヤ、シンクロ機構の配列により、変速段数の差分、上側の出力軸４０の端部を、下側の出力軸４１に対して、クラッチ１２，１３側へ退避させている。
【００２５】
二方向タイプのシンクロ機構５０，５２，５３には、いずれも軸部分にスプライン嵌合されたシンクロナイザハブ５５の外周部に、シンクロナイザスリーブ５６を軸方向にスライド可能に組み付け、シンクロナイザハブ５５の両側の配置された各ギヤに一対のシンクロナイザコーン５７を形成し、同シンクロナイザコーン５７の外周のコーン面に一対のシンクロナイザリング５８を嵌挿した構造が用いられている（符号はシンクロ機構５０，５２に図示）。これにより、シンクロナイザスリーブ５６を軸方向のいずれかの方向へスライドさせると、シンクロナイザリング５８とシンクロナイザコーン５７との摩擦により、回転速度差を減らしながら、出力軸４０や出力軸４１と各変速段の被駆動ギヤとが係合され（同期噛合）、両間で回転力の伝達が行なわれるようにしている。
【００２６】
一方向タイプのシンクロ機構５１は、二方向タイプのシンクロ機構５０，５２のうち、片側のシンクロナイザコーン５７、シンクロナイザリング５８を省いて、軸受３９ａから離れる一方向をシフト方向だけとした構造が用いられている。つまり、シンクロナイザスリーブ５６を被駆動ギヤ３１へスライドさせると、摩擦により、回転速度差を減らしながら、出力軸４０と５速用の被駆動ギヤ３１とが係合されるようにしている。
【００２７】
また被駆動ギヤ３７（２速用）のうち、シンクロ機構５３側とは反対側の側部には、後進用のアイドラギヤ６０が同心的に取着されている。アイドラギヤ６０には、被駆動ギヤ３７より歯車径が小さいギヤが用いられている。このアイドラギヤ６０は、出力軸４０の後進用の被駆動ギヤ３３と噛合っていて、シンクロ機構５０により、後進用の被駆動ギヤ３３を出力軸４０に係合させると、出力軸４０から、２速変速段の減速比、後退速段の減速比、さらには回転軸４０の終減速比で減速された逆回転の出力が、デファレンシャル機構４４へ伝達されるようにしてある。
【００２８】
つまり、前進用の被駆動ギヤ３１，３２，３４〜３７およびシンクロ機構５０〜５３の組み合わせから、前進変速用のギヤ機構２０を構成し、後進用の被駆動ギヤ３３、シンクロ機構５０、アイドラギヤ６０、出力ギヤ４２，４３の組み合わせから、後進用のギヤ機構２１を構成している。
【００２９】
一方、全長の短い出力軸４０の変速機後端側の端部（退避した端部）には、パーキングギヤ６１が設けられている。このパーキングギヤ６１は、シンクロ機構５１の外側（軸端側）と隣接して設けられている。このパーキングギヤ６１は、図３に示されるように変速機ケース１６に組み付けられたギヤロック用の爪部材６２と係脱可能となっていて、パーキング時、爪部材６２との係合から出力軸４０がロックできるようにしている。
【００３０】
他方、各クラッチ１２，１３の接・断動作（プッシャプレート１２ａ，１３ａ）や各シンクロ機構５０〜５３のシフト選択動作は、例えばＥＣＵの指令により制御されるアクチュエータ（いずれも図示しない）で行なわれる。そして、ダブルクラッチ変速機は、ＥＣＵに設定された変速情報にしたがい、動力伝達が断たれるロスを最小限に抑えつつ自動変速が行なわれるようにしてある。
【００３１】
すなわち、このダブルクラッチ変速機の作用について説明すると、１速への変速は、まず、ＥＣＵから出力される変速指令で作動するアクチュエータにより、奇数変速段グループのシンクロ機構５２のシンクロナイザスリーブ５６が１速側へスライドして、１速用の被駆動ギヤ３４と出力軸４１とを係合させる。これで、１速の変速段が選択される。その後、同じく変速指令で作動するアクチュエータにより、クラッチ１３が接動作される。同クラッチ１３の作動により、１速のシフトが完了する。これにより、エンジン７０の出力は、入力軸９、１速用の駆動ギヤ３、１速用の被駆動ギヤ３４、出力軸４１へ伝わる奇数系統の伝達ラインで変速される。そして、変速した回転が、出力ギヤ４３から、デファレンシャル機構４４へ出力されて、左右の車軸４７ａ，４７ｂに伝わり、車両を１速で走行させる。なお、クラッチ１２は断動作。
【００３２】
この１速で走行中、２速への変速指令が出力されると、クラッチ１３が接動作、クラッチ１２が断動作となっている状態を利用して、偶数変速グループのシンクロ機構５３のシンクロナイザスリーブ５６が２速側へスライドして、２速用の被駆動ギヤ３７を、現在の車速で回転している出力軸４１に係合させる。これにより、次段となる２速変速段の駆動ギヤ７は、車速にシンクロして、２速の変速段が選択される。つまり、次段の変速準備が整う。その後、クラッチ１３の接続を解除しながら、クラッチ１２の接続が行なわれ、エンジン７０からの動力伝達は、入力軸９から入力軸１０へ切り替わる。すると、エンジン７０の出力は、入力軸１０、２速用の駆動ギヤ７、２速用の被駆動ギヤ３７、出力軸４０へ伝わる偶数系統の伝達ラインで変速され、その変速した回転が出力ギヤ４３から、デファレンシャル機構４４へ出力される（２速シフト完了）。この２速への切り替えにより、即座に、車両は、２速走行へ切り替わる。
【００３３】
この２速で走行中、３速への変速指令が出力されると、クラッチ１２が接動作、クラッチ１３が断動作となっている状態を利用して、奇数変速グループのシンクロ機構５２のシンクロナイザスリーブ５６を３速側へスライドさせて、３速用の被駆動ギヤ３５を、現在の車速で回転している出力軸４０に係合させる。これにより、次段となる３速変速段の駆動ギヤ４は、車速にシンクロして、３速の変速段が選択される。つまり、次段の変速準備が整う。その後、クラッチ１２の接続を解除しながら、クラッチ１３の接続が行なわれ、エンジン７０の動力伝達は、再び入力軸１０から入力軸９へ切り替わる。すると、エンジン７０からの出力は、入力軸９、３速用の駆動ギヤ４、３速用の被駆動ギヤ３５、出力軸４１へ伝わる奇数系統の伝達ラインで変速され、その変速した回転が出力ギヤ４３から、デファレンシャル機構４４へ出力される（３速シフト完了）。この３速への切り替えにより、即座に、車両は、３速走行へ切り替わる。
【００３４】
そして、シンクロ機構５０，５１，５３およびクラッチ１２，１３により、上記と同様、奇数変速グループ、偶数変速グループで変速段を交互に選択して、クラッチ１２，１３を交互に切り替えることにより、残る４速、５速、６速の変速段のシフトも、上記した１速〜３速の変速段のときと同様、動力伝達ロスを最小限に抑えながら連続的に変速が行なわれる。
【００３５】
また後進変速段への変速は、クラッチ１２，１３が断動作となっている状態から、シンクロ機構５０のシンクロナイザスリーブ５６が後進速側へスライドして、後進用の被駆動ギヤ３３と出力軸４０とを係合させる。これで、後進速の変速段が選択される。その後、クラッチ１２の接動作が行なわれる。これにより、エンジン７０からの出力は、図２および図３に示されるように入力軸１０、２速用の駆動ギヤ７、２速用の被駆動ギヤ３７、該ギヤ３７に取着されたアイドラギヤ６０、後進用の被駆動ギヤ３３、出力軸４０、出力ギヤ４２を経て、デファレンシャル機構４４へ伝わる。
【００３６】
つまり、後進段は、２速変速段の減速比（低速段の駆動ギヤと被駆動ギヤの噛合いがもたらす）、後進速段の減速比（アイドラギヤと後進用の被駆動ギヤの噛合いがもたらす）に加え、さらに回転軸４１の終減速比で減速された逆回転の出力が、デファレンシャル機構４４へ伝達される。
【００３７】
それ故、アイドラ軸が不要な構造を確保したまま、後進段の減速比が大きくできる。つまり、ダブルクラッチ変速機のコンパクト化を図りつつ、後進段の減速比が大きくできる。しかも、出力軸４０の終減速比を大きくしたことで、ダブルクラッチ変速機のコンパクト化の要求から、低速前進段や後進段の被駆動ギヤに歯車径の小さなギヤが用いられることがあっても、後進段は十分に大きな減速比が確保できる。
【００３８】
そのうえ、出力軸４０の終減速比を利用したことで、設置自由度が高い２速用の被駆動ギヤ３７にアイドラギヤ６０を設けた構造でも、十分に後進段に適した大きな減速比が確保できる。
【００３９】
また、アイドラギヤ６０が２速用の被駆動ギヤ３７を挟んでシンクロ機構５３に隣接していないため、アイドラギヤ６０のギヤ径はシンクロ機構５３によって制限されず、アイダラギヤ６０のギヤ径を大きく設定することができる。
【００４０】
なお、本発明は上述した一実施形態に限定されるものではなく、本発明の主旨を逸脱しない範囲内で種々変更して実施しても構わない。
【図面の簡単な説明】
【００４１】
【図１】本発明の一実施形態に係るダブルクラッチ変速機の概略図。
【図２】同ダブルクラッチ変速機の正断面図。
【図３】同ダブルクラッチ変速機の側断面図。
【符号の説明】
【００４２】
２…入力系、３〜７…駆動ギヤ、９，１０…入力軸（第１，第２の入力軸），１２，１３…クラッチ、２０…前進変速用のギヤ機構、２１…後進用のギヤ機構、３０…出力系、３１〜３７…被駆動ギヤ、４０，４１…出力軸（第１、第２の出力軸）、５０〜５３…シンクロ機構、６０…アイドラギヤ、４２，４３…出力ギヤ。
【図１】
2007321820.tif 000003
【図２】
2007321820.tif 000004
【図３】
2007321820.tif 000005